(57)【特許請求の範囲】
【請求項１】
外周面にフィルムが巻き付けられる巻き芯の製造方法であって、
押出成形装置を用いて熱可塑性樹脂を押出し成形することによって、円筒状の原管を製作する押出成形工程と、
切削加工機を用いて前記原管の外周面に対して軸方向に沿って延びる段差部を形成する切削工程とを含み、
前記切削加工機は、前記段差部を形成する方向に対して押圧力が作用するように前記原管を押さえる押えローラを備え、
前記切削加工機は、前記原管の前記押出成形工程のライン上に配置され、その配置位置は、前記押出成形装置が備える引取機の上流側であり、
前記切削工程は、前記押出成形工程と連続的に行われる、巻き芯の製造方法。
【請求項２】
外周面にフィルムが巻き付けられる巻き芯の製造方法であって、
押出成形装置を用いて熱可塑性樹脂を押出し成形することによって、円筒状の原管を製作する押出成形工程と、
切削加工機を用いて前記原管の外周面に対して軸方向に沿って延びる段差部を形成する切削工程とを含み、
前記切削加工機は、前記段差部を形成する方向に対して押圧力が作用するように前記原管を押さえる押えローラを備え、
前記切削加工機は、前記原管の外周面の接線方向に沿って軸が延びるように配置されるエンドミルを備え、
前記エンドミルの外周面は、先端側に向かって径小となるテーパ部を有する、巻き芯の製造方法。
【請求項３】
前記エンドミルの先端部は、鍔状に形成される突起部を有し、
前記切削工程において、カッタを案内するためのガイド溝が前記エンドミルによって前記段差部と同時に形成される、請求項２記載の巻き芯の製造方法。
【発明の詳細な説明】
【技術分野】
【０００１】
この発明は巻き芯の製造方法に関し、特にたとえば、長尺のフィルムがロール状に巻き付けられる、巻き芯の製造方法に関する。
【背景技術】
【０００２】
一般的に、フィルムは、円筒状の巻き芯に巻き取られた状態で出荷等される。ここで、断面円形の巻き芯にフィルムを巻き付けると、フィルムの巻始め端部で段差が生じるので、この段差に起因する段差痕（変形）がフィルムに発生してしまう場合がある。そこで、このような段差痕の発生を防止するため、フィルムの厚みと同じ深さ（段差高さ）を有する段差部を、巻き芯の外周面に対して予め形成しておく技術が知られている。なお、接着テープ等の接着部材を用いてフィルムの巻始め端部を巻き芯に固定する場合には、フィルムの厚みに接着部材の厚みを加えた深さを有する段差部が形成される。
【０００３】
特許文献１には、外周面に段差部を有する巻き芯の製造方法の一例が開示されている。特許文献１の製造方法では、熱可塑性樹脂を異形押出成形することによって所望する巻き芯の断面形状に合致する断面形状を有する原管（巻芯素材）を形成した後、その原管を所定長さに切断することにより、巻き芯の軸方向に沿って延びかつフィルム（シート状被巻回物）の厚みにほぼ等しい深さの段差部を外周面に有する巻き芯を製造する。
【先行技術文献】
【特許文献】
【０００４】
【特許文献１】特開２００７−１１９２３０号公報
【発明の概要】
【発明が解決しようとする課題】
【０００５】
しかしながら、特許文献１の技術のように、異形押出成形によって巻き芯を製造する場合には、巻き芯の径や厚み等のサイズ毎、また、巻き付けるフィルムの厚み（つまり形成する段差部の深さ）毎に、異形金型および異形サイジングホーマ（冷却口金）等を用意する必要がある。このため、特許文献１の技術は、設備コストが多額となって採用することが難しい。また、異形押出成形では、段差部の形状が明確にならず、深さの小さい段差部を正確に形成することが難しいという問題もある。
【０００６】
それゆえに、この発明の主たる目的は、新規な、巻き芯の製造方法を提供することである。
【０００７】
この発明の他の目的は、コストを低減でき、かつ所望の段差部を正確に形成できる、巻き芯の製造方法を提供することである。
【課題を解決するための手段】
【００１８】
第１の発明は、外周面にフィルムが巻き付けられる巻き芯の製造方法であって、押出成形装置を用いて熱可塑性樹脂を押出し成形することによって、円筒状の原管を製作する押出成形工程と、切削加工機を用いて原管の外周面に対して軸方向に沿って延びる段差部を形成する切削工程とを含み、切削加工機は、段差部を形成する方向に対して押圧力が作用するように原管を押さえる押えローラを備え、切削加工機は、原管の押出成形工程のライン上に配置され、その配置位置は、押出成形装置が備える引取機の上流側であり、切削工程は、押出成形工程と連続的に行われる、巻き芯の製造方法である。
【００１９】
第１の発明によれば、コストを低減できると共に、所望の段差部をより正確に形成できる。また、原管に段差部を形成するための切削工程を押出成形工程とインラインで連続的に行うので、効率的に巻き芯を製造することができ、製造コストの低減を図ることができる。また、原管の押出方向における引取機の上流側に切削加工機を配置するので、切断機の作動振動が切削加工機を通過する原管に伝わることを防止できる。このため、切削加工時の原管の変位を適切に抑制でき、段差部をより正確に形成できる。
【００２０】
第２の発明は、外周面にフィルムが巻き付けられる巻き芯の製造方法であって、押出成形装置を用いて熱可塑性樹脂を押出し成形することによって、円筒状の原管を製作する押出成形工程と、切削加工機を用いて原管の外周面に対して軸方向に沿って延びる段差部を形成する切削工程とを含み、切削加工機は、段差部を形成する方向に対して押圧力が作用するように原管を押さえる押えローラを備え、切削加工機は、原管の外周面の接線方向に沿って軸が延びるように配置されるエンドミルを備え、エンドミルの外周面は、先端側に向かって径小となるテーパ部を有する、巻き芯の製造方法である。
【００２１】
第２の発明によれば、コストを低減できると共に、所望の段差部をより正確に形成できる。また、第２の発明では、切削加工機は、原管を切削して段差部を形成するためのエンドミルを備える。このエンドミルは、その軸が原管の外周面の接線方向に延びるように配置される。これによって、エンドミルの外周面形状を適宜変えることで、様々な形状を有する段差部を形成することができる。さらに、エンドミルの外周面には、先端側に向かって曲線状または直線状に径小となるテーパ部が形成される。エンドミルにテーパ部を形成しない場合、巻き芯には、側面（立上り面）とは反対側の段差部の側縁において屈曲部が形成される。段差部の側縁に形成される屈曲部は、基本的には問題ないが、フィルムの材質等によっては段差痕の原因となってしまう可能性もある。そこで、エンドミルにテーパ部を形成し、その屈曲部を曲面化または広角化しておくことによって、フィルムに段差痕が生じることをより適切に防止できる。
【００２４】
第３の発明は、第２の発明に従属し、エンドミルの先端部は、鍔状に形成される突起部を有し、切削工程において、カッタを案内するためのガイド溝がエンドミルによって段差部と同時に形成される。
【００２５】
第３の発明では、エンドミルの先端部には、鍔状の突起部が形成される。そして、原管を切削して段差部を形成する際には、これと同時に、エンドミルの突起部によってカッタを案内するためのガイド溝が形成される。
【００２６】
第３の発明によれば、１つのエンドミル、つまり一度の切削加工で段差部とガイド溝とを同時に形成できるので、切削工程を簡略化ないし効率化できる。
【発明の効果】
【００３４】
この発明によれば、段差部を切削加工によって形成するので、様々なサイズおよび段差部の深さを有する巻き芯を製造可能であり、異形押出成形によって巻き芯を製造する場合と比較して、コストを低減できる。また、段差部を形成する方向に対して押圧力が作用するように原管を押さえる押えローラを切削加工機が備えることによって、段差部の深さ方向における原管の変位が適切に抑制され、切削加工によって所望の段差部が正確に形成される。
【００３５】
この発明の上述の目的、その他の目的、特徴および利点は、図面を参照して行う後述の実施例の詳細な説明から一層明らかとなろう。
【図面の簡単な説明】
【００３６】
【図１】この発明の一実施例である巻き芯の外観を示す図解図である。
【図２】図１の巻き芯のＡ部分を拡大して示す図解図である。
【図３】巻き芯における比率Ｗおよび突出比率Ｖと段差痕低減効果との関係についての実験結果を示す表である。
【図４】図１の巻き芯を製造する製造装置の一例を概略的に示す図解図である。
【図５】図１の製造装置が備える切削加工機の一例を示す側面図であって、原管の押出方向の下流側から切削加工機を見た様子を示す。
【図６】図５の切削加工機の正面図であって、原管の押出方向と直交する方向から切削加工機を見た様子を示す。
【図７】図５の切削加工機が備えるエンドミルの一例によって、原管を切削加工する様子を概略的に示す図解図である。
【図８】図５の切削加工機が備える押えローラの原管に対する当接位置を示す図解図である。
【図９】第２のエンドミルによって、原管をさらに切削加工する様子を示す図解図である。
【図１０】エンドミルの他の一例を示す図解図である。
【図１１】エンドミルのさらに他の一例を示す図解図である。
【図１２】エンドミルのさらに他の一例を示す図解図である。
【図１３】エンドミルのさらに他の一例を示す図解図である。
【図１４】切削加工機の他の一例を示す正面図である。
【発明を実施するための形態】
【００３７】
図１および図２を参照して、この発明の一実施例である巻き芯１０は、長尺のフィルム１００をロール状に巻き取るために用いられる。
【００３８】
巻き芯１０に巻き付けられるフィルム１００は、タッチパネル用フィルム、半導体用フィルムおよび光学フィルム等の各種のフィルムであって、その厚みは、たとえば１００−５００μｍである。フィルム１００は、単層構造を有していてもよいし、たとえばフィルム基材に対して粘着層や導電層などが積層された複層構造を有していてもよい。なお、フィルム１００は、その厚みや材質などによっては、シートや膜などとも呼ばれることがある。
【００３９】
図１および図２に示すように、巻き芯１０は、熱可塑性樹脂などによって、その外周面に段差部１２を有する略円筒状に形成される。巻き芯１０の内径は、たとえば５０−３００ｍｍであり、その軸方向長さは、たとえば１００−２０００ｍｍである。
【００４０】
巻き芯１０の材質としては、ＡＢＳ（アクリロニトリルブタジエンスチレン）系樹脂、ポリ塩化ビニル、ポリプロピレン、ポリエチレン、ポリスチレン、ＡＳ（アクリロニトリルスチレン）樹脂、ポリカーボネート、ポリエチレンテレフタレート、ポリアミド、ポリフェニレンスルファイド、ポリ乳酸、ＰＧＡ（ポリグリコール酸）、および植物由来性樹脂などの熱可塑性樹脂、或いはこれら熱可塑性樹脂のアロイが用いられる。この中でも、ＡＢＳ系樹脂またはポリ塩化ビニルが好適に用いられる。
【００４１】
また、巻き芯１０の原料となる熱可塑性樹脂は、タルク、炭酸カルシウム、クレー、マイカ、シリカ、ガラス繊維および炭素繊維などのフィラーを含有していてもよい。熱可塑性樹脂にフィラーを添加することにより、強度向上効果、線膨張率が小さくなることによる曲がり低減効果および寸法精度向上効果が得られる。この中でも、タルク含有ＡＢＳ樹脂またはタルク含有ポリプロピレンが好適に用いられる。この際、タルクの添加量は、３−１５％が好ましい。タルクの添加量が１５％を超えると、巻き芯１０が割れ易くなってしまうからであり、タルクの添加量が３％未満であると、強度向上効果、曲がり低減効果および寸法精度向上効果が小さくなってしまうからである。また、タルク含有ポリ乳酸とＡＢＳ系樹脂とのアロイも好適に用いられる。さらに、基材の熱可塑性樹脂としてポリプロピレン、ＡＢＳ系樹脂、ポリアミド系樹脂、ポリエチレンテレフタレートまたはポリフェニレンスルファイドを用いる、炭素繊維含有熱可塑性樹脂も好適に用いられる。
【００４２】
巻き芯１０の外周面に形成される段差部１２は、フィルム１００の巻始め端部に起因する段差痕を解消するために形成されるものであり、巻き芯１０の軸方向に沿って延びるように、その軸方向の全長に亘って形成される。段差部１２は、巻き芯１０の厚み方向（径方向）に立ち上がる側面１２ａと、側面１２ａと直交する方向（接線方向）に形成される底面１２ｂとを含む。
【００４３】
また、段差部１２の底面１２ｂには、フィルム１００の巻始め端部を巻き芯１０に固定するための接着部材１４が設けられる。フィルム１００を巻き芯１０に巻き取る際には、フィルム１００の先端を段差部１２の側面１２ａに対して当接または近接させるようにして、段差部１２の底面１２ｂに対して、フィルム１００の巻始め端部が接着部材１４を介して固定される。
【００４４】
接着部材１４としては、両面に粘着性を有する接着テープ（両面テープ）、基材無しの粘着テープおよび接着剤などが用いられる。接着部材１４の厚みは、たとえば１０−５０μｍである。ただし、接着部材１４は、必ずしも設けられる必要はなく、たとえばフィルム１００自体の粘着性が大きい場合には、段差部１２の底面１２ｂに対してフィルム１００の巻始め端部を直接貼り付けるようにして固定してもよい。
【００４５】
また、段差部１２の深さ（段差高さ）Ｘ、つまり側面１２ａの巻き芯１０の厚み方向における長さは、フィルム１００の厚みと接着部材１４の厚みとを合わせた厚み（以下、「フィルム１００等の厚み」という。）Ｙよりも小さくされる。つまり、フィルム１００の巻始め端部を巻き芯１０に固定した際には、フィルム１００の巻始め端部が段差部１２から少し突出した状態となるように、段差部１２の深さＸが設定される。
【００４６】
これは、フィルム１００および接着部材１４は、巻き芯１０と比較して軟らかく、巻き圧力で圧縮されるので、段差部１２の深さＸをフィルム１００等の厚みＹと予め同じ大きさに設定しておくと、フィルム１００の巻取り時に、段差部１２の側面１２ａ上端がフィルム１００の巻始め端部よりも突出して、フィルム１００に段差痕を発生させる原因となってしまう場合があるからである。
【００４７】
そこで、この実施例では、段差部１２の深さＸをフィルム１００等の厚みＹよりも小さく設定している。フィルム１００等の厚みＹに対する段差部１２の深さＸの比率Ｗ（Ｗ＝Ｘ／Ｙ）は、０．５６−０．８６が好ましい。すなわち、段差部１２からフィルム１００の上面部がはみ出す比率を示す突出比率Ｖ（Ｖ＝（Ｙ−Ｘ）／Ｘ）は、０．１４−０．８０とすることが好ましい。フィルム１００の突出比率Ｖが０．１４よりも小さいと、段差部１２に起因する段差痕がフィルム１００に発生する可能性が高くなり、突出比率Ｖが０．８０よりも大きいと、フィルムの巻始め端部に起因する段差痕がフィルム１００に発生する可能性が高くなる。
【００４８】
なお、接着部材１４を巻き芯１０に設けない場合には、フィルム１００等の厚みＹは、フィルム１００自体の厚みを意味することとなる。
【００４９】
図３には、発明者等による、比率Ｗおよび突出比率Ｖと段差痕低減効果との関係についての実験結果を示す。この実験では、３種類の実験体（巻き芯）について、段差部の深さＸをそれぞれ変えたものを作成して、段差痕の低減評価を行った。段差痕の低減評価においては、段差痕が発生しない、或いは商品として採用可能な程度まで段差痕が低減されたものをＯＫと判定した。一方、段差痕が低減されない、或いは商品として採用不能な程度しか段差痕が低減されなかったものをＮＧと判定した。
【００５０】
図３の表に示すように、突出比率Ｖが０．１４−０．８０（比率Ｗが０．５６−０．８６）の巻き芯については、良好な段差痕低減効果が認められた。一方で、フィルム等の突出比率Ｖが０．１４よりも小さい巻き芯、および突出比率が０．８０よりも大きい巻き芯については、有効な段差痕低減効果は認められなかった。
【００５１】
また、図示は省略するが、巻き芯１０の外周面には、インクジェット印刷機などを利用して、段差部１２の位置（つまりフィルム１００の巻き付け開始位置）を示すための目印を設けておくとよい。目印としては、段差部１２の底面１２ｂまたは側面１２ａ頂部において、巻き芯１０の軸方向に沿って延びる直線や点線、または側面１２ａを指し示す矢印などの図形を表示するとよい。段差部１２の深さは小さく、段差部１２自体は目立たないものなので、目印を用いて段差部１２の位置を明示するによって、巻き芯１０に対するフィルム１００の巻き付け作業が容易となる。
【００５２】
図４は、巻き芯１０を製造するための製造装置３０の一例を概略的に示す図解図である。以下、図４を参照して、製造装置３０を用いて巻き芯１０を製造する方法の一例について説明する。この巻き芯１０の製造方法には、基本的に、押出成形装置を用いて円筒状の原管１０２を押出し成形する押出成形工程と、切削加工機５０を用いて原管１０２の外周面に段差部を形成する切削工程とが含まれる。そして、この実施例の製造方法（製造装置３０）では、押出成形工程（押出成形装置）のライン上に切削加工機５０が組み込まれ、切削加工機５０を用いた切削工程は、押出成形工程とインライン（オンライン）で連続的に行われる。つまり、製造装置３０は、押出成形装置と切削加工機５０とを含む。
【００５３】
具体的には、押出成形装置は、熱可塑性樹脂を押出し成形することによって、円筒状の原管１０２、つまり段差部のない断面円形の原管１０２を製作する装置であって、原管１０２の押出方向における上流側から順に、押出機３２、ダイ３４、真空サイジング３６、スプレークーリングバス３８、キャタピラ式（ブロック式）の引取機４０および切断機４２などを含む。押出成形装置としては、一般的な円筒管用（たとえば段差部を有さない巻き芯用）の装置を適宜用いるとよい。
【００５４】
そして、この実施例では、上述のような押出成形装置を用いた押出成形工程のライン上に、切削加工機５０が組み込まれる。具体的には、切削加工機５０は、原管１０２の押出方向における引取機４０の上流側、つまりスプレークーリングバス３８と引取機４０との間に配置される。切削加工機５０の具体的構成については、後述する。
【００５５】
このような製造装置３０では、溶融状態の熱可塑性樹脂が押出機３２からダイ３４に送られる。熱可塑性樹脂は、ダイ３４を通過することによって、円筒状の原管１０２となって連続的に押し出される。ダイ３４から押し出された原管１０２は、真空サイジング３６を通過することによって、冷却されると共に、所定寸法の円筒状にサイジングされる。真空サイジング３６によってサイジングされた原管１０２は、スプレークーリングバス３８において、さらに冷却される。冷却された円筒状の原管１０２は、切削加工機５０を通過することによって、その外周面に軸方向に沿って延びる段差部が切削加工された後、引取機４０によって引き取られて、切断機４２に送られる。そして、切断機４２において、所定長さに切断されることによって、巻き芯１０が製造される。
【００５６】
なお、製造装置３０の構成については、適宜変更可能である。たとえば、スプレークーリングバス３８は、必ずしも設ける必要はない。また、切削加工時の原管１０２の変位（蛇行または振動）を抑制するために、キャタピラ式の引取機４０に代えて、ベルト式の引取機を用いることもできる。また、切削加工機５０は、切断機４２の上流側、つまり引取機４０と切断機４２との間に配置することも可能である。ただし、この場合には、切断機４２の作動振動が切削加工機５０を通過する原管１０２に伝わる可能性があるので、切削加工時の原管１０２の変位を抑制する観点からは、切削加工機５０は、引取機４０の上流側に配置することが好ましい。
【００５７】
次に、図５および図６を参照して、切削加工機５０の構成について具体的に説明する。切削加工機５０は、直方体状の枠体である支持台５２を備える。支持台５２の下端部の４隅には、車輪５４が設けられると共に、高さ調節機構を有する固定部５６が設けられる。つまり、支持台５２（延いては切削加工機５０）は、車輪５４によって移動可能であり、固定部５６によってその上面高さを調節可能な状態で所定位置に固定される。
【００５８】
また、支持台５２の上面には、エンドミル５８、支えローラ６０、押えローラ６２および左右固定用ローラ６４等を備える切削加工機５０の装置本体が設けられる。後述のように、エンドミル５８と押えローラ６２とは、上部ユニット７０として一体化されており、この上部ユニット７０は、支持台５２の上方において配置高さを調節可能（昇降可能）に設けられる。なお、図５および図６では、エンドミル５８および押えローラ６２を含む上部ユニット７０が上昇位置にある状態を示している。
【００５９】
エンドミル５８は、上述の原管１０２の外周面上部（頂部）を切削するための棒状の切削部材であり、モータ６６の駆動軸に対して軸継手などの連結部材を介して連結される。エンドミル５８は、モータ６６からの駆動力を受けることによってその軸周りに回転し、その外周面に形成された刃で原管１０２を切削する。エンドミル５８の径は、たとえば１０ｍｍであり、その軸方向長さは、たとえば１５０ｍｍである。
【００６０】
また、エンドミル５８は、この実施例では横向きに配置される。つまり、エンドミル５８は、その軸が原管１０２の外周面の接線方向に沿って延びるように配置される。図７からよく分かるように、切削加工機５０を通過する原管１０２（巻き芯１０）の外周面上部には、エンドミル５８の先端面に沿って段差部１２の側面１２ａが形成され、エンドミル５８の外周面に沿って段差部１２の底面１２ｂが形成される。このようにエンドミル５８を横向きに配置すれば、後述するエンドミル５８の他の例のように、エンドミル５８の外周面形状を適宜変えることで、様々な形状を有する段差部１２の加工が可能となる。
【００６１】
ただし、図７は、エンドミル５８によって原管１０２を切削加工する様子を概略的に示すものであり、段差部１２の深さおよび幅、ならびにエンドミル５８の径および軸方向長さのそれぞれの対応関係を正確に示すものではない。
【００６２】
また、図示は省略するが、エンドミル５８とモータ６６の駆動軸とを連結する連結部材には、連結部材を支持する１または複数の固定部材（支え構造）を設けておくとよい。エンドミル５８の振れを適切に防止するためには、この固定部材は、エンドミル５８の近傍に設けることが好ましく、また、エンドミル５８自体の軸方向長さも小さく設定することが好ましい。連結部材に対して固定部材を設けておくことによって、エンドミル５８の振れが防止されるので、エンドミル５８による段差部１２の加工精度が向上する。
【００６３】
図５および図６に戻って、支えローラ６０および押えローラ６２は、原管１０２の押出方向におけるエンドミル５８の上流側および下流側のそれぞれに設けられる。支えローラ６０および押えローラ６２は、互いに協働して原管１０２の上下方向の変位（蛇行または振動）を規制する上下固定用ローラを構成する。すなわち、支えローラ６０は、原管１０２を下方から支持し、押えローラ６２は、原管１０２を上方から、つまり段差部１２を形成する方向から押さえる。具体的には、支えローラ６０および押えローラ６２は、Ｖ溝型の従動ローラであって、その間に原管１０２を所定圧で挟み込むことによって、原管１０２の上下方向の変位を防止しつつ、自身は原管１０２の押出方向の移動に伴いその軸周りに回転する。エンドミル５８の軸とその上流側および下流側に配置される押えローラ６２の軸との間の距離は、たとえば１３０ｍｍである。
【００６４】
また、支えローラ６０および押えローラ６２のＶ溝の表面には、ゴムライニングを施しておくとよい。これによって、支えローラ６０および押えローラ６２の原管１０２に対するグリップ力が向上し、原管１０２の上下方向の変位をより効果的に防止できる。
【００６５】
このような支えローラ６０は、支持台５２の上面に対して移動不可に設けられる。そして、切削加工機５０を原管１０２の押出成形工程のライン上に配置する際には、原管１０２の外周面が支えローラ６０のＶ溝の表面に当接するように、固定部５６の高さ調節機構を利用して、支えローラ６０の配置高さが調節される。
【００６６】
また、押えローラ６２は、支持フレーム６８等によってエンドミル５８およびモータ６６と一体化されて、上部ユニット７０を構成している。そして、この上部ユニット７０全体は、昇降シリンダ７２によって、支持軸７４に沿って配置高さを調節可能とされる。また、上部ユニット７０では、エンドミル５８およびモータ６６が、ハンドル７８の操作に応じて、押えローラ６２に対する上下方向の相対位置を調節可能とされる。製造装置３０を用いて巻き芯１０を製造する際には、押えローラ６２が支えローラ６０との間で原管１０２を所定圧で挟み込むことが可能なように、上部ユニット７０全体が下方に移動されて固定される。また、エンドミル５８は、所望深さの段差部１２を形成できるように、その配置高さが微調整される。つまり、エンドミル５８は、押えローラ６２に対する相対位置を変えることで、様々な深さの段差部１２を形成できる。
【００６７】
また、左右固定用ローラ６４は、上流側の支えローラ６０の上流側、および下流側の支えローラ６０の下流側のそれぞれに設けられる。左右固定用ローラ６４は、一対のフラット型の従動ローラ（右押えローラおよび左押えローラ）であって、ハンドル７８の操作に応じて、互いの間隔を調節可能なように横方向に移動可能とされる。左右固定用ローラ６４は、原管１０２を両側から所定圧で挟み込むことによって、原管１０２の横方向の変位（蛇行または振動）を規制しつつ、自身は原管１０２の押出方向の移動に伴いその軸周りに回転する。
【００６８】
さらに、図示は省略するが、切削加工機５０には、切削加工によって発生する切削屑を原管１０２から除去するための屑除去部が設けられる。屑除去部としては、たとえば、エンドミル５８の近傍に設けられ、原管１０２の切削加工部分に対してエアを吹き付ける送風機が用いられる。ただし、屑除去部は、原管１０２を挟んでエンドミル５８の対向位置に配置されて、切削屑を吸い込む集塵機であってもよい。
【００６９】
そして、この実施例の製造方法（切削加工機５０）では、図８に示すように、エンドミル５８の下流側に配設される押えローラ６２の原管１０２に対する当接位置は、段差部１２、つまり切削加工部分から所定角度ずれた位置とされる。つまり、段差部１２（切削加工部分）に対して押えローラ６２を当接させないようにしつつ、原管１０２の変位を適切に抑制できる角度に設定される。
【００７０】
ここで、段差部１２の深さの加工精度を向上させるためは、段差部１２の深さ方向（上下方向）の原管１０２の変位を可能な限り小さくする必要がある。したがって、押えローラ６２によって上方から、つまり段差部１２を形成する方向に対して押圧力が作用するように原管１０２を押さえることが重要となる。一方で、段差部１２、特に側面１２ａ上端に押えローラ６２が当接すると、段差部１２が変形してしまい、所望の形状ないし深さを有する段差部１２を形成できない恐れがある。つまり、段差部１２の加工に影響がでる恐れがある。また、段差部１２に押えローラ６２が当接すると、押えローラ６２が原管１０２を押さえるバランスが悪くなってしまい、原管１０２の変位を適切に抑制できなくなる恐れもある。
【００７１】
そこで、この実施例では、押えローラ６２の原管１０２に対する当接位置は、段差部１２から所定角度ずれた位置とされる。段差部１２に対して押えローラ６２を当接させないようにしつつ、原管１０２の変位を適切に抑制するためには、段差部１２の側面１２ａから押えローラ６２と原管１０２との当接位置（当接中心）までの角度αは、２２．５−４５度に設定することが好ましい。この実施例では、角度αは３０度に設定されている。
【００７２】
以上のように、この実施例の巻き芯１０の製造方法によれば、段差部１２を切削加工によって形成するので、様々なサイズ（径や厚み）および段差部１２の深さを有する巻き芯１０を製造可能であり、異形押出成形によって巻き芯を製造する場合と比較して、設備コストを低減できる。また、段差部１２を形成する方向に対して押圧力が作用するように原管１０２を押さえる押えローラ６２を切削加工機５０が備えることによって、段差部１２の深さ方向における原管１０２の変位が適切に抑制され、切削加工によって所望の段差部１２が正確に形成される。
【００７３】
また、この実施例によれば、原管１０２に対する押えローラ６２の当接位置は、段差部１２から所定角度ずれた位置とされるので、段差部１２の加工に影響を与えることなく、原管１０２の変位を適切に抑制できる。したがって、所望の段差部１２を正確に形成できる。
【００７４】
さらに、この実施例によれば、段差部１２の深さＸをフィルム１００等の厚みＹよりも小さく設定するので、段差部１２に起因する段差痕の発生を抑制でき、フィルム等の厚みＹと同じ深さＸを有する段差部１２を形成する場合と比較して、フィルム１００に生じる段差痕をより適切に防止ないし低減できる。また、段差部１２の深さを小さく設定することで、切削加工における切削量を低減でき、切削屑の発生量を低減できる。さらに、切削屑の発生量が少ないことから、送風機などの屑除去部による切削屑の除去も行い易くなる。
【００７５】
さらにまた、この実施例によれば、段差部１２を形成するための切削工程を押出成形工程とインラインで連続的に行うので、効率的に巻き芯１０を製造することができ、製造コストの低減を図ることができる。また、原管１０２の押出方向における引取機４０の上流側に切削加工機５０を配置することによって、切断機４２の作動振動が切削加工機５０を通過する原管１０２に伝わることを防止できる。このため、切削加工時の原管１０２の変位を適切に抑制でき、段差部１２をより正確に形成できる。
【００７６】
ここで、段差部１２を形成する切削工程を押出成形工程とは別にアウトラインで行う場合には、原管１０２を押出成形後に室温まで冷却する過程において、原管１０２の周方向での厚みの違いに起因して、原管１０２に軸方向の曲がりが発生してしまう場合がある。原管１０２に曲がりがあると、フライス盤などの従来の切削加工機に対して原管１０２を設置する際の位置決めに手間がかかる。また、短尺の原管１０２を１本ずつ手作業で切削加工機に設置する必要もあるので、余計に手間がかかる。これに対して、この実施例のように、切削工程を押出成形工程とインラインで連続的に行うことによって、支えローラ６０、押えローラ６２および左右固定用ローラ６４等を用いて原管１０２とエンドミル５８との位置関係を一定にする最初の位置設定のみで、原管１０２の全長に亘って段差部１２を正確に切削加工できるようになる。
【００７７】
また、原管１０２が一度曲がってしまうと、その曲がりを矯正して原管１０２を直線状にすることは困難であるため、切削加工機による切削加工時に、段差部１２の深さおよび幅にばらつきが生じてしまう。特に、１ｍ以上の軸方向長さを有する巻き芯１０を製造する場合には、その変動が大きくなってしまう。これに対して、この実施例のように、切削工程を押出成形工程とインラインで連続的に行うことによって、押出成形直後の原管１０２に曲がりが発生する前、或いは曲がりが少ない状態において、切削加工を完了させることができる、したがって、原管１０２の曲がりの矯正が不要となり、原管１０２の全長に亘って正確に段差部１２を形成できる。
【００７８】
このように切削工程を押出成形工程とインラインで連続的に行うことは、図５および図６に示すような構成を有する切削加工機５０をこの発明者等が開発することによって、可能となったものである。
【００７９】
なお、上述の実施例では、切削加工機５０に１つのエンドミル５８を設けるようにしたが、切削加工機５０は、２つ以上のエンドミルを備えていてもよい。たとえば、上述の実施例のように棒状のエンドミル５８を用いて段差部１２を切削すると、段差部１２の側面１２ａと逆側の側縁１２ｃ（図７参照）には、屈曲部が形成される。側縁１２ｃの屈曲部は、基本的には問題ないが、フィルム１００の材質等によっては段差痕の原因となってしまう可能性もある。そこで、切削加工機５０には、エンドミル５８の下流側において第２のエンドミル８０を設け、この第２のエンドミル８０を用いて、側縁１２ｃの屈曲部が円滑な曲面となるように再度切削加工することもできる。この第２のエンドミル８０としては、図９に示すように、先端側に向かって曲線状に径小となる外周面を有するものを用いるとよい。段差部１２の側縁１２ｃを曲面化することによって、フィルム１００に段差痕が生じることをより確実に防止できる。
【００８０】
また、図示は省略するが、第２のエンドミル８０を切削加工機５０に設ける代わりに、研磨ディスク等を設けて側縁１２ｃの屈曲部を面取りするようにしてもよい。なお、第２のエンドミル８０や研磨ディスク等は、必ずしも切削加工機５０に設けられる必要はなく、切削加工機５０の下流側に配置される別の切削加工機に設けるようにしてもよい。
【００８１】
さらに、エンドミル５８に加えて第２のエンドミル８０等を設ける代わりに、エンドミル５８の形状を変更することによって、１つのエンドミル５８で段差部１２の側縁１２ｃを曲面化することもできる。たとえば、図１０に示すように、その外周面に、先端側に向かって曲線状に径小となるテーパ部５８ａを有するエンドミル５８を用いるとよい。
【００８２】
また、たとえば、図１１に示すように、その外周面に、先端側に向かって直線状に径小となるテーパ部５８ａを有するエンドミル５８を用いることもできる。この直線状のテーパ部５８ａの傾斜角度（テーパ角）は、たとえば１−３度に設定される。なお、図１１に示すエンドミル５８の場合には、段差部１２の側縁１２ｃの屈曲部は少し残る。しかし、屈曲部を広角化できるので、図１１に示すエンドミル５８においても、フィルム１００に段差痕が生じることを適切に防止できる。
【００８３】
また、上述の実施例では、巻き芯１０の外周面に対して段差部１２を形成するだけであったが、図１２に示すように、巻き芯１０の外周面には、カッタを案内するためのガイド溝１６を形成することもできる。ガイド溝１６は、段差部１２の側面１２ａに沿うように底面１２ｂに形成され、巻き芯１０の軸方向全長に亘って延びる。ガイド溝１６の深さ、つまりガイド溝１６の底面から段差部１２の底面１２ｂまでの距離は、たとえば０．５−１．５ｍｍであり、ガイド溝１６の幅は、たとえば０．５−１．５ｍｍである。このガイド溝１６は、フィルム１００の先端が巻き芯１０の軸方向に対して平行でない場合などにおいて、段差部１２の側面１２ａに対してフィルム１００の先端を適切に当接できるように、フィルム１００の余分な部分をカッタで切り落とすために用いられる。
【００８４】
このようなガイド溝１６を形成する場合には、図１２に示すように、その先端部に鍔状の突起部５８ｂを有するエンドミル５８を用いるとよい。図１２に示すエンドミル５８を用いることによって、１つのエンドミル５８、つまり一度の切削加工で段差部１２とガイド溝１６とを同時に形成できるので、切削工程を簡略化ないし効率化できる。したがって、段差部１２およびガイド溝１６を有する巻き芯１０の製造コストを低減できる。
【００８５】
また、図１３に示すように、巻き芯１０に形成する段差部１２の側面１２ａと底面１２ｂとの連結部分１２ｄは、円弧状（Ｒ形状）としてもよい。これによって、段差部１２（延いては巻き芯１０）の強度を向上させることができる。この場合には、その先端に曲面部５８ｃを有するエンドミル５８を用いるとよい。
【００８６】
さらに、図１２または図１３に示すエンドミル５８の外周面には、図１０または図１１に示すようなテーパ部５８ａを形成することもできる。
【００８７】
以上のように、エンドミル５８を横向きに配置し、エンドミル５８の外周面形状を適宜変えることで、様々な形状を有する段差部１２を形成することができる。また、段差部１２とガイド溝１６とを同時に形成することも可能となる。つまり、原管１０２の外周面の接線方向に沿ってその軸が延びるようにエンドミル５８を配置することによって、切削加工のバリエーションが増える。
【００８８】
ただし、エンドミル５８は、縦向きに配置、つまり原管１０２の厚み方向に沿ってその軸が延びるように配置してもよい。この場合には、切削加工のバリエーションは少なくなるが、エンドミル５８の軸方向とエンドミル５８を原管１０２に押し当てる方向とが一致するので、エンドミル５８自体の振れが発生し難くなる。
【００８９】
また、上述の実施例では、支えローラ６０と押えローラ６２とによって構成される上下固定用ローラを、エンドミル５８の上流側と下流側とにおいて、２つ（２連）設けるようにしたが、上下固定用ローラは、３連以上設けることもできる。上下固定用ローラを増設する場合には、上下固定用ローラは、３連−６連とすることが好ましい。このように上下固定用ローラを増設することによって、より適切に原管１０２の変位を抑制することができる。
【００９０】
なお、上下固定用ローラを３連とする場合には、エンドミル５８の上流側を１連とし、エンドミル５８の下流側を２連とすることが好ましい。これは、引取機４０または切断機４２における作動振動が原管１０２の変位に与える影響が大きいからであり、エンドミル５８の下流側に上下固定用ローラを増設することによって、より効果的に原管１０２の変位を抑制することができるからである。同様に、上下固定用ローラを５連とする場合には、エンドミル５８の上流側を２連とし、エンドミル５８の下流側を３連とすることが好ましい。
【００９１】
一例として、図１４には、上下固定用ローラを４連とした場合の切削加工機５０を示す。図１４に示す切削加工機５０では、図５に示した切削加工機５０の構成に加えて、上流側の左右固定用ローラ６４の上流側、および下流側の左右固定用ローラ６４の下流側のそれぞれに対して、支えローラ６０と押えローラ６２とによって構成される上下固定用ローラが増設される。つまり、エンドミル５８の上流側および下流側のそれぞれに対して、２連の上下固定用ローラが設けられる。そして、４つの押えローラ６２は、支持フレーム６８等によってエンドミル５８およびモータ６６と一体化されて上部ユニット７０を構成し、この上部ユニット７０全体が、昇降シリンダ７２によって支持軸７４に沿って配置高さを調節可能とされる。
【００９２】
さらに、上述の実施例では、押えローラ６２としてＶ溝型の押えローラを用いたが、押えローラとしては、フラット型の押えローラを用いることもできる。この場合には、Ｖ溝型の押えローラのＶ溝の表面と対応するように、２つのフラット型の押えローラが斜め方向に延びるように配設され、段差部１２を形成する方向に対して押圧力が作用するようにされる。そして、この場合においても、原管１０２に対する押えローラの当接位置は、段差部１２から所定角度ずれた位置とされる。
【００９３】
さらにまた、上述の実施例では、原管１０２の上部を切削することによって段差部１２を形成するようにしたが、段差部１２を形成する原管１０２の外周面の周方向位置は、特に限定されない。たとえば、エンドミル５８を用いて原管１０２の側部や底部などを切削することによって、段差部１２を形成するようにしてもよい。この場合には、原管１０２を下方から押さえる支えローラ、左右から押さえる右押えローラまたは左押えローラ等が、段差部１２を形成する方向に対して押圧力が作用するように原管１０２を押さえる押えローラとして機能する。そして、この場合においても、原管１０２に対する押えローラの当接位置は、段差部１２から所定角度ずれた位置とされる。
【００９４】
また、上述の実施例では、押えローラ６２が段差部１２を形成する方向から原管１０２を押さえているが、これに限定されない。たとえば、原管１０２の上部を切削することによって段差部１２を形成する場合には、右押えローラおよび左押えローラとしてＶ溝型の押えローラを採用し、この右押えローラおよび左押えローラによって、段差部１２を形成する方向に対して押圧力が作用するように原管１０２を押さえるようにしてもよい。すなわち、段差部１２を形成する方向以外の方向から原管１０２を押さえるＶ溝型の押えローラを、段差部１２を形成する方向に対して押圧力が作用するように原管１０２を押さえる押えローラとして機能させてもよい。そして、この場合においても、原管１０２に対する押えローラの当接位置は、段差部１２から所定角度ずれた位置とされる。
【００９５】
ただし、段差部１２を形成する方向に対して押圧力が作用するように原管１０２を押さえる押えローラは、必ずしも段差部１２から所定角度ずれた位置において原管１０２に当接する必要はなく、段差部１２と当接するように原管１０２を押さえる場合もあり得る。
【００９６】
さらに、上述の実施例では、原管１０２の外周面に段差部を形成する切削工程を、押出成形工程とインラインで連続的に行うようにしたが、切削工程は、押出成形工程とアウトライン（オフライン）で行うこともできる。切削工程をアウトラインで行う場合にも、図５や図１４で例示した切削加工機５０を用いるとよい。
【００９７】
切削工程をアウトラインで行う場合には、先ず、一般的な円筒管用の押出成形装置を用いて、３−４ｍ程度の長尺の円筒状の原管１０２を製作する。続いて、切削加工機５０を用いて、原管１０２の外周面に対して軸方向に沿って延びる段差部１２を形成する。その後、切断機などを用いて、段差部１２を形成した原管１０２を所定長さに切断することによって、巻き芯１０が製造される。このように切削工程をアウトラインで行うことによって、製造工程の自由度が上がる。
【００９８】
なお、上で挙げた寸法などの具体的数値は、いずれも単なる一例であり、製品の仕様などの必要に応じて適宜変更可能である。
【符号の説明】
【００９９】
１０  …巻き芯
１２  …段差部
３０  …巻き芯の製造装置
５０  …切削加工機
５８  …エンドミル
５８ａ  …エンドミルのテーパ部
５８ｂ  …エンドミルの突起部
６０  …支えローラ
６２  …押えローラ
６４  …左右固定用ローラ
１００  …巻き芯
１０２  …原管
【図１】
0006346101.tif 000002
【図２】
0006346101.tif 000003
【図３】
0006346101.tif 000004
【図４】
0006346101.tif 000005
【図５】
0006346101.tif 000006
【図６】
0006346101.tif 000007
【図７】
0006346101.tif 000008
【図８】
0006346101.tif 000009
【図９】
0006346101.tif 000010
【図１０】
0006346101.tif 000011
【図１１】
0006346101.tif 000012
【図１２】
0006346101.tif 000013
【図１３】
0006346101.tif 000014
【図１４】
0006346101.tif 000015